(57)【特許請求の範囲】
【請求項１】
ねじ（１９）が螺入され、ねじ（１９）との間に重ねて配置される２つの部材（１７、１８）の一方（１７）に他方（１８）を固定するための、ナットの役目をするねじ締結用のベゼルであって、
円板状のベゼル本体（１１）の、ねじ（１９）が螺入される側の中央にスペーサの役目をするボス（１２）が一体形成され、
前記ベゼル本体（１１）のボス（１２）が設けられた、ねじ（１９）が螺入される側の面の外周近傍に複数の回り止め用の突起（１５）が形成されると共に、ボス（１２）の、ねじ（１９）が螺入される側の端面の外周近傍にも複数の回り止め用の突起（１６）が形成され、
さらに、ベゼル本体（１１）及びボス（１２）の中心にねじ螺入用の貫通穴（１４）が穿設されており、
ねじ（１９）を貫通穴（１４）に螺入して締め付けることによって、前記２つの突起（１５，１６）が、前記２つの部材（１７、１８）の内のベゼル側の部材（１７）に食い込む、
ことを特徴とするねじ締結用ベゼル。
【請求項２】
ルーフトリムに用品を取付けるための用品取付け装置であって、
ベゼル本体（１１）と前記ベゼル本体（１１）から突出するボス（１２）とを一体的に有し、前記ボス（１２）の端面に突起（１６）が設けられている、ベゼル（１０）と、
前記ベゼル（１０）とルーフトリム（１７）を挟んで対向配置され前記ボス（１２）の端面に設けられた突起（１６）と当接し得る表面を有する用品取付け用部材（１８）とを有し、
前記ベゼル（１０）の前記ボス（１２）の端面に設けられた突起（１６）をルーフトリム（１７）の一方の面に当接させた状態から、前記ベゼル（１０）と前記用品取付け用部材（１８）とを、前記ボス（１２）の端面に設けられた突起（１６）が前記用品取付け用部材（１８）に当接するまで、ねじを用いて締め上げることにより、前記用品取付け用部材（１８）を前記ルーフトリム（１７）に対して位置固定に取付ける、
ことを特徴とする用品取付け装置。
【発明の詳細な説明】
【０００１】
【発明の属する技術分野】
本発明は、ねじ締結用ベゼルに関する。詳しくは、自動車のルーフトリムへねじ締めにて用品等を固定する際、用品等を取付ける用品取付け用部材の変形や緩みを防止し、用品取付け用部材を確実に固定可能としたねじ締結用ベゼルに関する。
【０００２】
【従来の技術】
従来、車両の天井材であるルーフトリムにねじ締めにてハンズフリー電話用マイク等の用品を取り付ける際は、該ルーフトリムが通常は柔らかい材質の材料が用いられているため、ねじを固定することができない。そのためねじ受けとして図４（ａ）に示すように用品取付け用部材１に対向しルーフトリム２を挟んでねじ締結用ベゼル３を用い、ねじ４により締付固定していた。
【０００３】
【発明が解決しようとする課題】
上記従来のねじ締結用ベゼルを用いたねじ締結では、図４（ｂ）に示すように、ねじ締結用のベゼル３の剛性に比べて用品取付け用部材１が弱い場合、ねじ４の締め過ぎにより用品取付け用部材１が変形して用品等を取付けることができなくなるという問題があった。また図４（ｃ）の如く用品取付け用部材１とねじ締結用ベゼル３との間にスペーサー５を挟むと、スペーサ５の空回りや、狭い作業スペース内でスペーサの落下を招くことがある。また、スペーサ５によりルーフトリム２を挟み込む力が不足して取り付けにガタを生ずるという問題もある。
【０００４】
本発明は上記従来の問題点に鑑み、用品取付け用部材の剛性が不足していても変形することなく固定でき、また固定後のガタの発生やねじの緩みがなく、さらに部品の脱落や紛失がないねじ締結用ベゼルを実現することを目的とする。
【０００５】
【課題を解決するための手段】
本発明の請求項１のねじ締結用ベゼルは、ねじ１９が螺入され、ねじ１９との間に重ねて配置される２つの部材１７、１８の一方１７に他方１８を固定するための、ナットの役目をするねじ締結用のベゼルであって、
円板状のベゼル本体１１の、ねじ１９が螺入される側の中央にスペーサの役目をするボス１２が一体形成され、
前記ベゼル本体１１のボス１２が設けられた、ねじ１９が螺入される側の面の外周近傍に複数の回り止め用の突起１５が形成されると共に、ボス１２の、ねじ１９が螺入される側の端面の外周近傍にも複数の回り止め用の突起１６が形成され、
さらに、ベゼル本体１１及びボス１２の中心にねじ螺入用の貫通穴１４が穿設されており、
ねじ１９を貫通穴１４に螺入して締め付けることによって、前記２つの突起１５、１６が、前記２つの部材１７、１８の内のベゼル側の部材１７に食い込む、ことを特徴とする。
また、本発明の請求項２の用品取付け装置は、ルーフトリムに用品を取付けるための用品取付け装置であって、
ベゼル本体１１と前記ベゼル本体１１から突出するボス１２とを一体的に有し、前記ボス１２の端面に突起１６が設けられている、ベゼル１０と、
前記ベゼル１０とルーフトリム１７を挟んで対向配置され前記ボス１２の端面に設けられた突起１６と当接し得る表面を有する用品取付け用部材１８とを有し、
前記ベゼル１０の前記ボス１２の端面に設けられた突起１６をルーフトリム１７の一方の面に当接させた状態から、前記ベゼル１０と前記用品取付け用部材１８とを、前記ボス１２の端面に設けられた突起１６が前記用品取付け用部材１８に当接するまで、ねじを用いて締め上げることにより、前記用品取付け用部材１８を前記ルーフトリム１７に対して位置固定に取付ける、
ことを特徴とする。
【０００６】
この構成を採ることにより、用品取付け用部材の剛性が不足していても変形することなく固定でき、また固定後のガタの発生やねじの緩みがなく、さらに部品の脱落や紛失がないねじ締結用ベゼルを得ることができる。
【０００７】
【発明の実施の形態】
図１は本発明のねじ締結用ベゼルの実施の形態を示す図で、（ａ）は下方より見た斜視図、（ｂ）は上方より見た斜視図である。同図において、符号１０は本実施の形態のねじ締結用ベゼル、１１はベゼル本体、１２はボス、１３はつまみである。ベゼル本体１１は金属又はプラスチックで円板状に形成され、その下面中央には、（ａ）図の如くボス１２が形成され、上面には、（ｂ）図の如くリブ状のつまみ１３が形成されている。
【０００８】
また、ベゼル本体１１とボス１２とつまみ１３の中心にはねじが螺入される貫通孔１４が穿設されている。さらに、ベゼル本体１１のボス１２が設けられた側の面の外周近傍には複数の回り止め用突起１５が形成され、ボス１２の端面の外周近傍にも複数の回り止め用突起１６が形成されている。なお該突起１５，１６の形状は円錐状又は角錐状が好ましい。また前記貫通孔は、取付けねじに通常のねじを用いる場合はねじ孔とし、タッピングねじを用いる場合は単なる孔でよい。
【０００９】
このように構成された本実施の形態の作用を図２を用いて説明する。図２（ａ）は、ルーフトリム１７の用品取付け位置に、用品取付け用部材１８と、ねじ締結用ベゼル１０と、ねじ１９とをセットした状態である。なお、ねじ締結用ベゼル１０は、その回り止め用突起１５，１６がルーフトリム１７に対向するように配置する。
【００１０】
図２（ｂ）はねじ１９を途中まで締め込んだ状態を示しており、ねじ締結用ベゼル１０のボス１２がルーフトリム１７に食い込んでいる。図２（ｃ）はねじ１９を完全に締め込んだ状態を示しており、ねじ締結用ベゼル１０のボス１２の突起１６は用品取付け用部材１８に当接し、ベゼル本体１１の突起１５はルーフトリム１７に食い込んでいる。
【００１１】
このように本実施の形態のねじ締結用ベゼルはルーフトリムに用品取付け用部材を取付固定するとき、ねじ締め時に用品取付け用部材の剛性が不足していても変形することなく固定できる。またルーフトリムを挟み込む構造となり、また突起１５，１６が回り止め作用をするため、固定後のガタの発生やねじの緩みがない。さらに、１部品で構成されているため部品の脱落や紛失がなく、作業の効率化が図れる。
【００１２】
また、図３は本発明の他の実施の形態を示す図でる。本実施の形態はべゼル本体１１の剛性を極端に弱くした場合であり、（ａ）図に示すようにルーフトリム１７が薄い場合でも正常に締付が可能である。また（ｂ）図の如くルーフトリム１７が厚い場合はベゼル本体１１が撓むことにより締付可能である。このように本実施の形態はベゼル本体１１の剛性を弱くすることにより幅広く用いることができる。
【００１３】
【発明の効果】
本発明のねじ締結用ベゼルに依れば、ルーフトリムに用品取付け用部材を取付固定するとき、用品取付け用部材の剛性が不足していても変形することなく固定することができる。またルーフトリムを挟んで固定するため固定後のガタの発生やねじの緩みがない。さらに、１部品で構成されているため部品の脱落や紛失がなく、作業の効率化が図れる。
【図面の簡単な説明】
【図１】本発明のねじ締結用ベゼルの実施の形態を示す図で、（ａ）は下方より見た斜視図、（ｂ）は上方より見た斜視図である。
【図２】本発明のねじ締結用ベゼルの実施の形態の作用を説明するための図である。
【図３】本発明のねじ締結用ベゼルの他の実施の形態を示す図である。
【図４】従来の技術及び発明が解決しようとする課題を説明するための図である。
【符号の説明】
１０…ねじ締結用ベゼル
１１…ベゼル本体
１２…ボス
１３…つまみ
１４…貫通孔
１５，１６…回り止め用突起
１７…ルーフトリム
１８…用品取付け用部材
１９…ねじ
【図１】
0003977985.tif 000002
【図２】
0003977985.tif 000003
【図３】
0003977985.tif 000004
【図４】
0003977985.tif 000005